(57)【要約】【課題】  浴室内の壁面の大掛かりな設計変更を伴うことなく、鏡の設置位置を容易且つ自在に変更することができ、複数の人間が浴室を使用する場合においても、かかる複数の人間が快適に作業することが可能な浴室を提供することを目的とする。【解決手段】  本発明にかかる浴室１００の構成は、当該浴室１００に配置された浴槽１２０と、浴槽１２０と隣接して構成される洗い場（床面１１６）と、当該浴室１００の浴槽１２０の長辺と対向する壁面に配列された複数のフック１６０と、フック１６０に掛合される掛合部１９０と鏡面部１８２を有する鏡１８０と、イス２４０と、を備えたことを特徴とする。【選択図】  図１
2010110453.tif 000002
【特許請求の範囲】
【請求項１】
当該浴室に配置された浴槽と、
前記浴槽と隣接して構成される洗い場と、
当該浴室の前記浴槽の長辺と対向する壁面に配列された複数のフックと、
前記フックに掛合される掛合部と鏡面部を有する鏡と、
イスと、を備えたことを特徴とする浴室。
【請求項２】
前記フックは、前記洗い場の壁面のうち、前記浴槽に隣接する壁面と、該壁面に隣接し且つ直交する壁面に亘って設置されていることを特徴とする請求項１に記載の浴室。
【請求項３】
前記浴槽に隣接する壁面にシャワー付のカランをさらに備え、前記鏡は、前記浴槽に隣接する壁面に設置されたフックと、該壁面に隣接し且つ直交する壁面に設置されたフックに掛脱自在に取付可能であることを特徴とする請求項２に記載の浴室。
【請求項４】
前記イスは複数であって、大きいイスと小さいイスの２つで構成されており、前記大きいイスが前記小さいイスを収納する入れ子構造を有することを特徴とする請求項３に記載の浴室。
【請求項５】
前記複数のイスの少なくとも１つにシャワーフックを備えたことを特徴とする請求項４に記載の浴室。
【請求項６】
前記大きいイスと小さいイスの両方にシャワーフックを備えたことを特徴とする請求項５に記載の浴室。
【発明の詳細な説明】
【技術分野】
【０００１】
本発明は、鏡の設置位置を自在に変更可能な壁面を備える浴室に関する。
【背景技術】
【０００２】
従来、住宅用の浴室は、浴室の一方の壁面に沿って浴槽が配置され、残る面積が洗い場となった構成が極めて多く採用されている。設置面積が限られているため、浴室は浴槽と洗い場とに二分されており、いずれも長方形をなしている。浴室への出入口は洗い場に設けられており、ほとんどの場合は洗い場の奥まった壁面に鏡やカラン（水栓）が取り付けられている。
【０００３】
また浴室には、使用者が浴室で体や髪を洗う際に自身の姿を視認するために、備え付けの鏡が設けられている。これにより、使用者は自身の姿を視認し、体や髪の洗い残し等を確認することができ、利便性が向上する。
【０００４】
かかる鏡は、使用者が浴室で体や髪を洗う等の作業を行う際に最も必要とされ、使用者が浴室で体や髪を洗うときには水栓であるカランから湯を得るため、使用者はカランを備える壁面を正面とすることが多い。したがって、鏡はカランを備える壁面のカランの上方に設けられることが多い。また、鏡使用時の作業性を向上させるために、カランを備える壁面の鏡の上方には照明が設けられる。
【０００５】
上記の理由から、長方形をなす洗い場の奥まった壁面（一般的には長方形の短辺に相当する壁面）に、鏡、照明、カラン、カウンタ（洗面台置き場）、シャワーフックなどが配置された構成が一般的となっている。ここで、上述した従来の浴室を、親と子供、介護者と要介護者等、複数の人間が使用する場合、以下のような問題が生じる。
【０００６】
図７は、従来の浴室１０を説明するための説明図であり、図８は、従来の浴室１０における複数の人間の配置を説明するための説明図である。図７に示すように、従来の浴室１０は、浴槽２０と洗い場３０に分割されており、洗い場３０の奥まった壁面１２（長方形の短辺に相当する壁面）に鏡３２、カラン３４、シャワー３６、照明３８、複数の人間が使用するための複数のイス４０（図７中４０ａ、４０ｂで示す）を備えて構成される。なお図７中、従来の浴室１０は２つのイス４０（４０ａ、４０ｂ）を備えるが、かかる数に限定するものではない。
【０００７】
図７に示す浴室１０を例えば親子で利用する場合、洗い場３０が細長い長方形であることから、短辺に沿って２人が座ることは難しく、必然的に長辺に沿って並ぶことになる。したがって、通常は、図８に示すように親は子を洗うためにカラン３４やシャワー３６に近い位置に座わり、子は親の前に座ることになると考えられ、親がイス４０ａを使用し、子がイス４０ｂを使用することになる。
【０００８】
その結果、鏡３２、カラン３４、シャワー３６および照明３８は奥まった同一壁面１２に設置されているため、子は、親が支障となり、鏡を使用できなくなってしまう。したがって、図７に示す鏡３２の設置位置は、イス４０ａを使用する親にとっては使い勝手がよいが、イス４０ｂを使用する子にとっては使い勝手が悪い。
【０００９】
また、上記のように備え付けの鏡３２であると、例えば、鏡３２が浴室の壁面の下方に設置されていた場合、風呂イス等に座って体や髪を洗う使用者にとっては使い勝手がよいが、立って体や髪を洗う使用者にとっては使い勝手が悪い。
【００１０】
したがって、備え付けの鏡３２の設置位置が必ずしも使用者の使い勝手がよい位置であるとは限らない。また、使い勝手がよいか否かは使用者ごとに体型や感覚が異なるため、鏡３２をすべての使用者にとって使い勝手がよい位置、すなわちすべての使用者に対して適切な位置に設置することは容易ではない。
【００１１】
更に、備え付けの鏡３２であると、これを浴室の壁面から取り外せないためその清掃を行いづらい。故に、鏡３２の背面にカビ等の細菌類が繁殖しやすく、また清掃に煩雑な手間がかかり、鏡３２の周辺が不衛生になりがちであった。
【００１２】
したがって、上述した不具合を解消するために、例えば特許文献１には、表面が鏡面仕上げされた金属板の裏面に磁石からなるシート材を設けた浴室用鏡が開示されている。これによれば、取付場所を容易に変更でき、且つ壁面における浴室用鏡の周囲部分の清掃作業が容易になるとしている。
【特許文献１】特開２００７−２２２３６２号公報
【発明の開示】
【発明が解決しようとする課題】
【００１３】
特許文献１に記載の技術であると、壁面が磁性を有する材料で構成されている場合には浴室用鏡の取付位置を容易且つ自在に変更することが可能である。しかし、壁面が磁性を有する材料で構成されていない場合には、浴室用鏡を壁面に取り付けることができない。したがって、壁面が磁性を有する材料で構成されていない場合には、壁面を磁性を有する材料からなる部材に変更するか、壁面に磁性を有する材料または金属からなるパネル等の部材を設置しなくてはならない。故に、いずれにおいても浴室内の壁面の大掛かりな設計変更を伴うため、手間とコストを要してしまう。
【００１４】
本発明は、このような課題に鑑み、浴室内の壁面の大掛かりな設計変更を伴うことなく、鏡の設置位置を容易且つ自在に変更することができ、複数の人間が浴室を使用する場合においても、かかる複数の人間が快適に作業することが可能な浴室を提供することを目的としている。
【課題を解決するための手段】
【００１５】
上記課題を解決するために、本発明にかかる浴室の代表的な構成は、当該浴室に配置された浴槽と、浴槽と隣接して構成される洗い場と、当該浴室の浴槽の長辺と対向する壁面に配列された複数のフックと、フックに掛合される掛合部と鏡面部を有する鏡と、イスと、を備えたことを特徴とする。
【００１６】
上記構成によれば、浴槽の長辺と対向する壁面に複数設置されたフックのうち、使用者が所望する位置のフックに鏡の掛合部を掛合することにより、鏡を掛脱自在に取り付けることができる。これにより使用者は、イスの配置および座る向きに応じて、鏡の設置位置を容易且つ自在に所望の位置に変更することができる。したがって、一人の人間が浴室を使用する場合も、複数の人間が浴室を使用する場合においても、鏡を各人が使用しやすい位置に容易に変更することができるため、快適に洗い場を利用することができ、使用者の利便性が向上する。
【００１７】
また複数のフックを壁面の水平方向に複数且つ垂直方向に複数設置することにより、フックは壁面に略碁盤目状に配列されることとなる。これにより、壁面の水平方向且つ垂直方向、すなわち壁面上の平面的な所望の位置に鏡を設置することができ、利便性を向上することが可能となる。
【００１８】
フックは、洗い場の壁面のうち、浴槽に隣接する壁面と、該壁面に隣接し且つ直交する壁面に亘って設置されていてもよい。
【００１９】
このように両壁面間で鏡が掛脱自在となっていることにより、使用者がいずれの方向を向いてイスに座った場合であっても、その正面の壁面に鏡を取り付けることができる。したがって、快適に浴室を使用することができる。
【００２０】
浴槽に隣接する壁面にシャワー付のカランをさらに備え、鏡は、浴槽に隣接する壁面に設置されたフックと、該壁面に隣接し且つ直交する壁面に設置されたフックに掛脱自在に取付可能であってもよい。
【００２１】
このように両壁面間で鏡が掛脱自在となっていることにより、使用者がカランと向き合うときには鏡をカランのある壁面（浴槽に隣接する壁面）に取り付けることができ、浴室に２人で入るときなどには鏡を両者の間（浴槽に対向する壁面）に取り付けることができる。このように、場面に応じて浴室の設備の位置を変更可能とすることにより、快適に浴室を使用することができる。
【００２２】
上記のイスは複数であって、大きいイスと小さいイスの２つで構成されており、大きいイスが小さいイスを収納する入れ子構造を有していてもよい。
【００２３】
かかる構成により、例えば浴室を一人の人間しか使用しない場合等、複数のイスを必要としない場合に、大きいイスの設置面積でかかる複数のイスを収納することができる。したがって、浴室の洗い場（床面）の面積を有効活用することが可能となる。
【００２４】
複数のイスの少なくとも１つにシャワーフックを備えていてもよい。
【００２５】
これにより、シャワーヘッドをイスに固定することができる。したがって、使用者は常にシャワーを自身の手元に設置しておくことができ、例えば、浴室を親子で利用する際に、親は、両手で子を洗った後、振り返って自身の背後からシャワーを把持し、再度、子の方に向きなおすといった煩雑な動作を経ることなく、シャワーを利用することが可能となる。
【００２６】
大きいイスと小さいイスの両方にシャワーフックを備えていてもよい。
【００２７】
これにより、使用者は常にシャワーを自身の手元に設置しておくことができ、使用者の利便性が向上する。また、当該イスをカウンタとして利用し、かかるイスに洗面器を設置した場合に、使用者がシャワーを把持せずとも直接洗面器に湯水を供給することができ、シャワーにカランの役割を担わせることが可能となる。
【発明の効果】
【００２８】
本発明によれば、浴室内の壁面の大掛かりな設計変更を伴うことなく、イスの配置および座る向きに応じて、鏡の設置位置を容易且つ自在に変更することができる。したがって、複数の人間が浴室を使用する場合においても、かかる複数の人間が快適に作業することが可能な浴室を提供することができる。
【発明を実施するための最良の形態】
【００２９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３０】
図１は、本実施形態にかかる浴室１００を示す図である。なお、本実施形態においては、近年家庭に最も普及しているユニットバスを浴室１００として例示するがこれに限定するものではない。また、本実施形態では、浴室１００を親子が利用する形態について説明する。
【００３１】
図１に示すように、ユニットバスである浴室１００は、壁面で区画された空間であり、壁面１１２、１１４および床面１１６により構成される。なお、壁面１１２、１１４以外の壁面、および浴室１００外に設けられた脱衣所と通じるドアは、理解を容易にするため図示を省略する。
【００３２】
壁面１１２は、後述する浴槽１２０に対向する壁面である。壁面１１４は、後述する浴槽１２０に隣接し、シャワー付のカラン１３０（水栓）を備える壁面である。なお、壁面１１２および１１４は、各々２つに分割されているように見えるが、これは壁面１１２および１１４が、共に２つのパネルから構成されているからである。本実施形態では、２つのパネルから構成される面を１つの壁面として説明する。
【００３３】
床面１１６は、洗い場となる面であり、使用者（本実施形態では親子）が体や髪を洗う際に利用する。本実施形態において、床面１１６は、後述する浴槽１２０に沿う辺を長辺とする長方形である。
【００３４】
また浴室１００は、浴槽１２０、カラン１３０、シャワー１４０、照明１５０、複数のフック１６０、鏡１８０（１８０ａ、１８０ｂおよび１８０ｃ）、収納部材２００、イス２４０（２４０ａ、２４０ｂ）を備える。
【００３５】
浴槽１２０は、湯が貯留され、使用者が入浴するための槽である。カラン１３０およびシャワー１４０は水栓であり、給湯装置（図示せず）から湯水が供給される。
【００３６】
照明１５０は、浴室１００内の調光を行う機器である。本実施形態では、照明１５０は、浴槽１２０に対向する壁面１１２のうち、壁面１１２の水平方向の中央よりもカラン１３０に近い位置に設置される。これにより、浴槽１２０に対向する壁面１１２に設けられた鏡１８０を用いる場合、またカラン１３０を備える壁面１１４に設けられた鏡１８０を用いる場合のいずれにおいても、照明１５０から採光することが可能となる。換言すれば、使用者が浴槽１２０に対向する壁面１１２を正面とする場合、またカラン１３０を備える壁面１１４を正面とする場合のいずれにおいても、照明１５０により鏡１８０に光が照射されるため、複数の使用者が浴室１００で各々別の鏡１８０を用いて作業をする際の作業性を向上することができ、利便性が向上する。
【００３７】
フック１６０は、浴室１００内の浴槽１２０の長辺と対向する壁面１１２に所定間隔ごとに複数設置される。そして、所定間隔ごとに複数設置されたフック１６０のうち、使用者が所望する位置のフック１６０に後述する鏡１８０の掛合部１９０を掛合することにより、鏡１８０がフック１６０に掛脱自在に取り付けられる。これにより、フック１６０に鏡１８０を吊り下げ、壁面に鏡１８０を設置することが可能となる。したがって、使用者は、壁面に設置されたフック１６０を用いて、鏡１８０の設置位置を容易且つ自在に所望の位置に変更できるため、複数の人間が浴室１００を使用する場合においても、鏡１８０を各人が使用しやすい位置に適宜変更し、複数の人間が快適に作業することが可能となり、利便性が向上する。
【００３８】
さらに本実施形態においては、フック１６０は浴槽１２０に隣接する壁面１１４にも配列されている。すなわちフック１６０は、洗い場の壁面１１２、１１４のうち、浴槽に隣接する壁面１１４と、これに隣接し且つ直交する壁面１１２に亘って設置されており、両壁面間で鏡１８０や収納部材２００が掛脱自在となっている。
【００３９】
このように両壁面間で鏡１８０が掛脱自在となっていることにより、使用者がいずれの方向を向いてイス２４０に座った場合であっても、その正面の壁面に鏡を取り付けることができる。したがって例えば、使用者がカラン１３０と向き合うときには鏡１８０を壁面１１４のフック１６０に取り付けることができ、浴室に２人で入るときや照明１５０の明かりが正面に欲しいときには鏡１８０を壁面１１２のフック１６０に取り付けることができる。このように、場面に応じて浴室の設備の位置を変更可能とすることにより、快適に使用することができる。
【００４０】
また、鏡１８０を壁面に設置するために要する部材がフック１６０のみであることから、浴室１００内の壁面の大掛かりな設計変更を伴わないため、手間とコストを要することがない。
【００４１】
またフック１６０は、後述するように大径の頭部１６２と小径の軸部１６６を有している。フック１６０が頭部１６２を有することで、吊り下げられた鏡１８０はフック１６０の頭部１６２により掛止されるため、鏡１８０のフック１６０からの脱落を防止することができる。なおフック１６０には、鏡１８０だけでなく、後述する収納部材２００等を吊り下げることもでき、これにより壁面に収納部材２００等を設置することが可能となる。
【００４２】
以下、フック１６０の詳細について説明する。図２は、フック１６０の詳細を示す図である。図２（ａ）はフック１６０の分解図であり、図２（ｂ）はフック１６０の斜視図であり、図２（ｃ）はフック１６０不使用時の側面図であり、図２（ｄ）はフック１６０使用時の側面図である。
【００４３】
図２（ａ）に示すように、フック１６０は、頭部１６２と、螺子１６４と、軸部１６６と、リング１６８と、ワッシャ１７０との、５つの部材から構成される。フック１６０を壁面に設置する際には、まず軸部１６６とリング１６８とワッシャ１７０を嵌合する。そして、軸部１６６の穴に螺子１６４を装嵌し、ワッシャ１７０を壁面に当接して螺子止めをすることにより、軸部１６６とリング１６８とワッシャ１７０が壁面に螺設される。螺設後に、頭部１６２をリング１６８に嵌合することにより、図２（ｂ）に示す状態となり、フック１６０が壁面に設置される。
【００４４】
フック１６０の壁面への設置後、かかるフック１６０は、使用されない場合には図２（ｃ）に示す状態となる。図２（ｃ）に示すように、フック１６０は、軸部１６６およびリング１６８が頭部１６２に収納され、頭部１６２とワッシャ１７０が接した状態となっている。これにより、フック１６０内部はほぼ密閉された状態となるため、フック１６０内部への水等の浸入を防ぐことができる。故に、フック１６０内部でのカビ等細菌類の繁殖を防止し、衛生状態を良好に保つことが可能となる。
【００４５】
また、図２（ｃ）のように不使用時のフック１６０（軸部１６６収納時）は、壁面上に頭部１６２の厚み分だけ突出した状態となる（厳密には、ワッシャ１７０の厚みも含まれる）。故に、フック１６０により壁面上には微小な凸部が形成されるが、凹部が形成されることはない。したがって、フック１６０が壁面の清掃を妨げることがなく、且つ浴室１００の美観を損ねることがない。
【００４６】
更に、図２（ｃ）に示すようにフックの頭部１６２が切欠１６２ａを有することで、切欠１６２ａの部分に指を引っ掛け、頭部１６２を白抜き矢印方向に、すなわち壁面から手前に引き出すことができる。このようにして頭部１６２を引き出すと、フック１６０は図２（ｄ）に示す状態となり、軸部１６６が露出する。これにより、フック１６０に後述する鏡１８０や収納部材２００等を吊り下げ可能となる。
【００４７】
そして、例えば部材を吊り下げる場所を変更する等、引き出したフック１６０を使用しなくなる場合には、引き出した頭部１６２を壁面に向かって押し込むことにより、軸部１６６は頭部１６２に収納され、図２（ｃ）に示す状態に戻る。なお、本実施形態においては、軸部１６６は頭部１６２に収納されているが、これに限定するものではなく、軸部１６６を壁面内に収納するよう構成してもよい。
【００４８】
したがって、本実施形態にかかるフック１６０によれば、上述したように、フック１６０の頭部１６２を壁面から手前に引き出すという操作でフック１６０を使用することが可能となり、フック１６０の頭部１６２を壁面に向かって押し込むという操作でフック１６０の軸部１６６を頭部１６２に収納可能となる。したがって、いずれにおいても簡単な操作でフック１６０の状態を変更することができる。
【００４９】
フック１６０は、壁面の水平方向に複数設置されるとよい。これにより、壁面に吊り下げる鏡１８０の位置を水平方向に自在に変更し、使用者が所望する位置に鏡１８０を設置することができ、浴室１００での利便性が向上する。また、壁面の水平方向に複数の鏡１８０等を設置したり、吊り下げに要するフック１６０を水平方向に２つ以上必要とする部材を壁面に設置したりすることが可能となる。
【００５０】
またフック１６０は、壁面の垂直方向に複数設置されるとよい。これにより、壁面に吊り下げる鏡１８０の位置を垂直方向に自在に変更し、使用者が所望する位置に鏡１８０を設置することができ、浴室１００での利便性が向上する。また、壁面の垂直方向に複数の鏡１８０等を設置することができ、吊り下げに要するフック１６０を垂直方向に２つ以上必要とする部材を壁面に設置したりすることが可能となる。
【００５１】
更に、上述したようにフック１６０を、壁面の水平方向に複数設置し、且つ垂直方向に複数設置するとよい。これにより、フック１６０は壁面に略碁盤目状に設置されることとなるため、壁面の平面的な所望の位置に鏡１８０を設置することが可能となり、利便性が格段に向上する。
【００５２】
フック１６０を備える壁面は、カラン１３０を備える壁面１１４であるとよい。これにより、カラン１３０を備える壁面１１４にフック１６０が設置されるため、フック１６０に鏡１８０を吊り下げ、その壁面１１４に鏡１８０を設置することができる。
【００５３】
またフック１６０を備える壁面は、浴槽１２０に対向する壁面１１２であるとよい。これにより、浴槽１２０に対向する壁面１１２にフック１６０が設置されるため、フック１６０に鏡１８０を吊り下げ、その壁面に鏡１８０を設置することができる。
【００５４】
更に、フック１６０を備える壁面は、当該浴室１００を構成する壁面のうち、隣接する２面以上の壁面であるとよい。これにより、隣接する２面以上の壁面に鏡１８０を設置することができる。したがって、複数の人間が浴室１００で体や髪を洗う場合において、１つの面に設置された鏡１８０を１人の人間が使用していたとしても、他の人間は他の面に設置された鏡１８０を使用することが可能となり、利便性が向上する。
【００５５】
また、上記の隣接する２面以上の壁面には、カラン１３０を備える壁面１１４および浴槽１２０に対向する壁面１１２が含まれるとよい。これにより、カラン１３０を備える壁面１１４、および浴槽１２０に対向する壁面１１２に鏡１８０を各々設置することが可能となる。したがって、本実施形態のように細長い長方形の形状の洗い場の長辺に沿って複数の人間が並んだ場合であっても、一方の人間はカラン１３０を備える壁面１１４に設けられた鏡１８０を、他方の人間は浴槽１２０に対向する壁面１１２に設けられた鏡１８０を使用することができ、複数の人間が浴室１００内で快適に作業することが可能となり、利便性が向上する。
【００５６】
鏡１８０（１８０ａ、１８０ｂ、および１８０ｃ）は、使用者が自身の姿を視認するための部材である。鏡１８０は、後述するように、鏡面部１８２と、フック１６０の頭部１６２に掛合される掛合部１９０とを有し、壁面に設置されたフック１６０の頭部１６２が掛合部１９０に掛合することで、鏡１８０が、フック１６０の軸部１６６に掛着され（吊り下がり）、壁面に設置される。したがって、使用者は、壁面に設置されたフック１６０を用いて、鏡１８０の設置位置を容易且つ自在に所望の位置に変更できるため、利便性が向上する。
【００５７】
以下、鏡１８０の詳細について説明する。図３は、鏡１８０の詳細を示す図である。図３（ａ）は鏡１８０の正面斜視図であり、図３（ｂ）は鏡１８０の背面斜視図である。
【００５８】
図３（ａ）および（ｂ）に示すように、鏡１８０は、鏡面部１８２と、枠体１８４と、基体１８６との、３つの部材から構成される。そして、鏡面部１８２と基体１８６とを嵌合し、これらを枠体１８４に装嵌することにより、鏡１８０が形成される。
【００５９】
図３（ｂ）に示すように、基体１８６はその背面に溝部１８８、および掛合部１９０ａ、１９０ｂ、１９０ｃ、および１９０ｄの４つからなる掛合部１９０を有する。掛合部１９０ａ、１９０ｂ、および１９０ｃは、かかる溝部１８８と一体に形成されている。このように、掛合部１９０が溝部１８８と一体に形成されており、溝部１８８の幅が掛合部１９０よりも広いことから、フック１６０に鏡１８０を吊り下げ、かかる鏡１８０を壁面に設置する際に、鏡１８０の背面を壁面に当接し、溝部１８８にフック１６０の頭部１６２を挿入させ、水平方向や垂直方向に収納部材２００を滑動させるだけで、フック１６０の頭部を掛合部１９０に容易に掛合させることができる。
【００６０】
掛合部１９０は、鏡１８０の長辺もしくは短辺のいずれか一方または両方に略平行に２以上設けられることが好ましい。これにより、壁面に設置した際の鏡１８０の安定性を向上することができる。なお、本実施形態においては、長辺に略平行に２つ、および短辺に略平行２つ、計４つの掛合部１９０が基体１８６（鏡１８０）に設けられているが、これに限定するものではなく、適宜変更することが可能である。
【００６１】
鏡１８０は略長方形であるとよい。これにより、使用者は好みに応じて鏡１８０の縦横を任意に変更することができる。すなわち、鏡１８０ａのようにその長辺を上辺とすれば横長の鏡として、鏡１８０ｂおよび１８０ｃのようにその短辺を上辺とすれば縦長の鏡として使用することができ、利便性が向上する。
【００６２】
また鏡１８０が略長方形であることから、鏡１８０ｂおよび１８０ｃのように、２つ以上の鏡１８０を並設すれば（隣接して設ければ）、複数の鏡１８０を一体の大きな鏡として使用することができ、利便性が向上する。なお、本実施形態においては、鏡１８０ｂおよび１８０ｃを水平方向に隣接して設けているが、これに限定するものではなく、垂直方向に隣接して設けてもよい。
【００６３】
なお、本実施形態においては、鏡１８０は略長方形であるが、かかる形状に限定するものではなく、他の形状、例えば、円形や正方形等でもよい。また、鏡１８０の寸法は一例であり、これに限定するものではない。
【００６４】
鏡１８０は、浴室１００に２以上設けられるとよい。これにより、上述したように鏡１８０を垂直方向や水平方向に並設し（隣接し）、２以上（複数）の鏡１８０を一体の大きな鏡として使用することができる。また複数の鏡１８０を各々異なる壁面に１以上、例えば図２に示すように、壁面１１２に鏡１８０ａを、壁面１１４に鏡１８０ｂおよび１８０ｃを設けることができ、親子等、複数の人間が浴室で体や髪を洗う場合に、各々別の壁面の鏡１８０を使用することが可能となり、利便性が向上する。
【００６５】
図４は、本実施形態にかかる鏡１８０の使用方法を説明するための図である。本実施形態のように浴室１００を親子で利用する場合、床面１１６（洗い場）が細長い長方形であることから、短辺に沿って２人が座ることは難しく、必然的に長辺に沿って並ぶことになる。すると通常、親は子を洗うためにカラン１３０やシャワー１４０が設置されている壁面１１４に近い位置に座り、子は壁面１１４から遠い位置（親の前）に座ることになる。
【００６６】
したがって、図４に示すように、壁面１１２に鏡１８０ａが、壁面１１４に鏡１８０ｂおよび１８０ｃが設けられる場合、親は鏡１８０ｂおよび１８０ｃを、子は鏡１８０ａを使用することができる。これにより、浴室１００内においてすべての使用者が快適に作業を行うことが可能となる。
【００６７】
なお本実施形態においては、鏡１８０は浴室１００内に３つ設けられているが、かかる数に限定するものではない。鏡１８０は浴室１００内に１以上設けられればよく、好ましくは上述の如く２以上設けられるとよい。
【００６８】
収納部材２００は、シャンプーやリンス等の浴室で用いられる物品を収納するための部材である。収納部材２００は、壁面に設置されたフック１６０に吊り下げられることにより、かかる壁面に設置される。
【００６９】
図５は、収納部材２００の詳細を示す図である。図５（ａ）は収納部材２００の正面斜視図であり、図５（ｂ）は収納部材２００の背面斜視図である。図５（ａ）に示すように、収納部材２００は受け皿状となっており、かかる受けの部分に、浴室１００で使用する物品を収納することができる。
【００７０】
また図５（ｂ）に示すように、収納部材２００の背面には、掛合溝２００ａが設けられている。かかる掛合溝２００ａにフック１６０を掛合することにより、収納部材２００を壁面に設置することができる。
【００７１】
なお、本実施形態においては、収納部材２００が有する掛合溝２００ａの数は２つであるが、これに限定するものではなく、適宜変更することが可能である。また収納部材２００の寸法も一例であり、これに限定されるものではない。
【００７２】
イス２４０（２４０ａ、２４０ｂ）は、浴室１００の床面１１６に移動可能に設置されている。図６は、本実施形態にかかるイス２４０を説明するための説明図であり、特に図３（ａ）は使用時を、図６（ｂ）は収納時を示している。
【００７３】
図６に示すように、２つのイス２４０は大きいイス２４０ａと小さいイス２４０ｂの２つで構成されており、大きいイス２４０ａの内部に小さいイス２４０ｂを収納可能な入れ子構造を有している。したがって、例えば浴室１００を一人の人間しか使用しない場合等、複数のイス２４０（２４０ａ、２４０ｂ）を必要としない場合に、大きいイス２４０ａの設置面積で小さいイス２４０ｂを収納することができ、浴室１００の床面１１６（洗い場）の面積の有効活用が図れる。
【００７４】
図６（ａ）に示すように、本実施形態では、大きいイス２４０ａおよび小さいイス２４０ｂの側面の座面近傍にシャワー１４０を構成する軸部(シャワーヘッド)を略垂直方向に回動自在に固定可能なシャワーフック２４２（図６中２４２ａ、２４２ｂで示す）を備えている。これにより図６（ｂ）に示すように、シャワー１４０をイス２４０に固定することができる。したがって、使用者は常にシャワー１４０を自身の手元に設置しておくことができ、例えば、浴室１００を親子で利用する際に、親は、両手で子を洗った後、振り返って自身の背後に設置された壁付けシャワーフックに掛止されたシャワー１４０を把持し、再度、子の方に向きなおすといった煩雑な動作を経ることなく、シャワー１４０を利用することが可能となる。
【００７５】
またイス２４０の側面の座面近傍にシャワーフック２４２を備える構成により、当該イス２４０をカウンタとして利用し、かかるイス２４０に洗面器（図示せず）を設置した場合に、使用者がシャワー１４０を把持せずとも直接洗面器に湯水を供給することができ、シャワー１４０にカランの役割を担わせることが可能となる。
【００７６】
ここでは、特に２つのイス２４０のうち大きいイス２４０ａの略水平断面は略長方形であって、大きいイス２４０ａに設けられたシャワーフック２４２ａは、短辺の側面であって座面近傍に設置されている。
【００７７】
これにより、大きいイス２４０ａをカウンタとして利用する場合に、使用者の右手側もしくは左手側にシャワー１４０を固定することができるため、使い勝手を向上させることが可能となる。
【００７８】
本実施形態において、大きいイス２４０ａの略水平断面は、略長方形である。これにより、大きいイス２４０ａをカウンタとして利用する場合に、浴室１００で利用するシャンプー、リンス、ボディシャンプー等の洗浄剤と、洗面器を横に並べることができ、使い勝手が向上する。
【００７９】
また、本実施形態では、大きいイス２４０ａの上面に洗面器を位置決め可能な凹部２４０ｃを備えている。これにより、大きいイス２４０ａをカウンタとして利用する場合に、洗面器を係止して設置することができる。また、大きいイス２４０ａにシャワー１４０を固定できるため、シャワー１４０から直接洗面器に湯水を供給することが可能となる。
【００８０】
また図６（ａ）、図６（ｂ）に示すように、大きいイス２４０ａは小さいイス２４０ｂよりも大きく、大きいイス２４０ａの側面（長辺の側面）には開口部２４０ｄを有し、開口部２４０ｄから小さいイス２４０ｂを収容可能になっている。これにより、大きいイス２４０ａを持ち上げることなく、大きいイス２４０ａの中に小さいイス２４０ｂを水平方向にスライドさせて収納することができる。また、２つのイス２４０は、その１つが他の１の収納する入れ子構造を有していることから、大きいイス２４０ａの設置面積で小さいイス２４０ｂを収納することが可能となる。
【００８１】
上記説明したように、本実施形態にかかる浴室１００が、浴室１００の浴槽１２０の長辺と対向する壁面１１２に配列された複数のフック１６０と、フック１６０に掛合される掛合部１９０と鏡面部１８２を有する鏡１８０と、イス２４０と、を備えたことにより、一人の人間が浴室１００を使用する場合も、複数の人間が浴室１００を使用する場合においても、鏡１８０を各人が使用しやすい位置に容易に変更することができるため、快適に洗い場を利用することができ、使用者の利便性が向上する。
【００８２】
また、鏡１８０を壁面に設置するために要する部材がフック１６０のみであるため、浴室１００内の壁面の大掛かりな設計変更を伴わず、これに要する手間とコストを削減することができる。更に、２つのイス２４０（２４０ａ、２４０ｂ）が、入れ子構造を有することから、複数のイス２４０を必要としない場合には、１のイス２４０ａの設置面積で他のイス２４０ｂを収納することができ、浴室１００の床面１１６（洗い場）の面積の有効活用が図ることが可能となる。
【００８３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８４】
本発明は、鏡の設置位置を自在に変更可能な壁面を備える浴室に適用することができる。
【図面の簡単な説明】
【００８５】
【図１】本実施形態にかかる浴室を示す図である。
【図２】フックの詳細を示す図である。
【図３】鏡の詳細を示す図である。
【図４】本実施形態にかかる鏡の使用方法を説明するための図である。
【図５】収納部材の詳細を示す図である。
【図６】本実施形態にかかるイスを説明するための説明図である。
【図７】従来の浴室を説明するための説明図である。
【図８】従来の浴室における複数の人間の配置を説明するための説明図である。
【符号の説明】
【００８６】
１０、１００  …浴室
１２、１１２、１１４  …壁面
２０、１２０  …浴槽
３０   …洗い場
３２   …鏡
３４、１３０  …カラン
３６、１４０  …シャワー
３８、１５０  …照明
４０、４０ａ、４０ｂ、２４０、２４０ａ、２４０ｂ  …イス
１１６  …床面
１６０  …フック
１６２  …頭部
１６４  …螺子
１６６  …軸部
１６８  …リング
１７０  …ワッシャ
１８０、１８０ａ、１８０ｂ、１８０ｃ  …鏡
１８２  …鏡面部
１８４  …枠体
１８６  …基体
１８８  …溝部
１９０、１９０ａ、１９０ｂ、１９０ｃ、１９０ｄ  …掛合部
２００  …収納部材
２００ａ  …掛合溝
２４０ｃ  …凹部
【図１】
2010110453.tif 000003
【図２】
2010110453.tif 000004
【図３】
2010110453.tif 000005
【図４】
2010110453.tif 000006
【図５】
2010110453.tif 000007
【図６】
2010110453.tif 000008
【図７】
2010110453.tif 000009
【図８】
2010110453.tif 000010